(57)【要約】【課題】ユーザが連携する機器の物理的、視覚的、概念的な位置を容易に類推して、対象の連携機器を識別可能にし、機器間でのコンテンツやコマンドの移動を容易に視認可能にする表示装置、これを用いた表示方法および表示プログラムを提供する。【解決手段】表示画面１１８を有する通信可能な表示装置であって、表示画面１１８の縁を複数に区分した縁片ａ〜ｌに対応させて属性情報を管理する属性管理部と、縁片ａ〜ｌの識別情報および属性情報の少なくとも一方に対応させて、通信により連携可能な他の機器を識別する装置管理部と、他の機器の管理または他の機器との連携を表示装置の表示画面１１８に表示する表示制御部とを備える。このように、表示画面１１８の縁片ａ〜ｌに対応させて他の機器を識別することで、他の機器の管理をユーザが把握しやすくすることができる。【選択図】図３
2011128532.tif 000002
【特許請求の範囲】
【請求項１】
表示画面を有する通信可能な表示装置であって、
表示画面の縁を複数に区分した縁片に対応させて属性情報を管理する属性管理部と、
前記縁片の識別情報および前記属性情報の少なくとも一方に対応させて、通信により連携可能な他の機器を識別する装置管理部と、
前記他の機器の管理または前記他の機器との連携を表示装置の表示画面に表示する表示制御部とを備えることを特徴とする表示装置。
【請求項２】
前記属性管理部は、前記表示画面を正面から見たときの前記表示画面の中央に対する各相対位置を示す属性情報を管理することを特徴とする請求項１記載の表示装置。
【請求項３】
ユーザから入力を受け付ける入力部を更に備え、
前記装置管理部は、入力された情報に基づいて前記縁片の識別情報および前記属性情報の少なくとも一方と前記通信により連携可能な他の機器の識別情報とを関連付けて管理することを特徴とする請求項１または請求項２記載の表示装置。
【請求項４】
前記通信により連携可能な他の機器から情報を取得する情報取得部を更に備え、
前記装置管理部は、前記取得された情報に基づいて前記縁片の識別情報および前記属性情報の少なくとも一方と前記通信により連携可能な他の機器の識別情報とを関連付けて管理することを特徴とする請求項１から請求項３のいずれかに記載の表示装置。
【請求項５】
前記通信により連携可能な他の機器から取得した自機の属性情報に基づいて、前記情報取得元の機器の属性情報を算出し、設定する情報設定部を更に備えることを特徴とする請求項４記載の表示装置。
【請求項６】
前記情報設定部は、前記取得した自機の属性情報が特定する位置について点対称な位置を特定するように前記情報取得元の機器の属性情報を算出し、設定することを特徴とする請求項５記載の表示装置。
【請求項７】
前記通信により連携可能な他の機器との相対位置を認識する位置認識部とを更に備え、
前記属性管理部は、前記認識された相対位置に基づき前記縁片に対応させて属性情報を管理することを特徴とする請求項１から請求項６のいずれかに記載の表示装置。
【請求項８】
前記属性管理部は、前記通信により連携可能な他の機器への物理的方向に応じた属性情報を管理することを特徴とする請求項１から請求項７のいずれかに記載の表示装置。
【請求項９】
前記属性管理部は、ユーザから見た前記通信により連携可能な他の機器への視覚方向に応じた属性情報を管理することを特徴とする請求項１から請求項７のいずれかに記載の表示装置。
【請求項１０】
前記属性管理部は、ユーザが想起する前記通信により連携可能な他の機器への概念的方向に応じた属性情報を管理することを特徴とする請求項１から請求項７のいずれかに記載の表示装置。
【請求項１１】
前記表示制御部は、前記通信可能な他の機器に関連付けられた縁片の近傍に、前記縁片に対応する他の機器の図形を表示させることを特徴とする請求項１から請求項１０のいずれかに記載の表示装置。
【請求項１２】
前記表示制御部は、前記通信可能な他の機器のうち、制御または情報受信の対象となる機器との間で制御コマンドやデータを送受信する様子を前記縁片に対応する他の機器の図形を用いて動画で表示させることを特徴とする請求項１１記載の表示装置。
【請求項１３】
前記表示制御部は、前記通信可能な他の機器のうち、制御または情報受信の対象となる機器に関連付けられた縁片の近傍に、前記対象となる機器と自機との連携を表示させることを特徴とする請求項１から請求項１０のいずれかに記載の表示装置。
【請求項１４】
前記表示制御部は、前記通信可能な他の機器のうち、制御または情報受信の対象となる機器との間で制御コマンドやデータを送受信する様子を前記縁片に対応する動画で表示させることを特徴とする請求項１３記載の表示装置。
【請求項１５】
表示画面を有する通信可能な表示装置を用いた表示方法であって、
表示画面の縁を複数に区分した縁片に対応させて属性情報を管理するステップと、
前記縁片の識別情報および前記属性情報の少なくとも一方に対応させて、通信により連携可能な他の機器を管理するステップと、
前記他の機器の管理または前記他の機器との連携を表示装置の表示画面に表示するステップとを含むことを特徴とする表示方法。
【請求項１６】
表示画面を有する通信可能な表示装置に実行させるための表示プログラムであって、
表示画面の縁を複数に区分した縁片に対応させて属性情報を管理する処理と、
前記縁片の識別情報および前記属性情報の少なくとも一方に対応させて、通信により連携可能な他の機器を管理する処理と、
前記他の機器の管理または前記他の機器との連携を表示装置の表示画面に表示する処理を含むことを特徴とする表示プログラム。
【発明の詳細な説明】
【技術分野】
【０００１】
本発明は、情報を連携する複数の機器から成るシステムにおいて、ユーザの利便性を高めることのできる表示装置、これを用いた表示方法および表示プログラムに関する。
【背景技術】
【０００２】
近年、技術の進歩により、高度な情報処理を行う家庭用電化製品が普及している。そして、このような製品として、相互に通信する機能を有するものが増加している。また、近年、パーソナルコンピュータのユーザインタフェースが進化したことで、グラフィカルユーザインタフェース（ＧＵＩ）が普及している。そのようなＧＵＩでは、マウスによるドラッグアンドドロップでコンテンツをフォルダ間で移動させるなど、情報の移動が視覚的に分かり易いものが主流になってきている。
【０００３】
このようなパーソナルコンピュータの中には、複数のディスプレイで表示を行うコンピュータもある。たとえば、横方向に２つの画面分の大きさを有する仮想画面を構成し、仮想画面を２つのディスプレイに表示し、２つのディスプレイの相互に行き来が可能で、視覚的にも分かり易いＧＵＩが知られている。これに関連して、ディスプレイを有する複数のコンピュータ間で空間的に連続した共通の仮想画面を構成し、それぞれのコンピュータにおいて画面生成を行うシステムも存在する。（たとえば、特許文献１参照）。
【先行技術文献】
【特許文献】
【０００４】
【特許文献１】特開平１１−３８９５３号公報
【発明の概要】
【発明が解決しようとする課題】
【０００５】
一方、通信機能により連携する家庭用電化製品が普及するにつれ、そのネットワーク構成を把握することがユーザに求められる。また、家電製品を連携させるライフスタイルはユーザにとって新たな体験であり、分かり易いＧＵＩが求められる。たとえば、ある端末から他の端末に命令を送信する際に、送信先の端末を名称でのみ検索するようでは直観的に分かり易いとはいえない。
【０００６】
本発明は、このような事情に鑑みてなされたものであり、ユーザが連携する機器の物理的、視覚的、概念的な位置を容易に類推して、対象の連携機器を識別可能にし、機器間でのコンテンツやコマンドの移動を容易に視認可能にする表示装置、これを用いた表示方法および表示プログラムを提供することを目的とする。
【課題を解決するための手段】
【０００７】
（１）上記の目的を達成するため、本発明の表示装置は、表示画面を有する通信可能な表示装置であって、表示画面の縁を複数に区分した縁片に対応させて属性情報を管理する属性管理部と、前記縁片の識別情報および前記属性情報の少なくとも一方に対応させて、通信により連携可能な他の機器を識別する装置管理部と、前記他の機器の管理または前記他の機器との連携を表示装置の表示画面に表示する表示制御部とを備えることを特徴としている。
【０００８】
このように、表示画面の縁片に対応させて他の機器を識別することで、他の機器の管理をユーザが把握しやすくすることができる。また、表示画面の縁に対応させて、連携する機器の物理的、視覚的、概念的な位置を容易に類推して、対象の連携機器を識別可能にすることができる。また、機器間でのコンテンツやコマンドの移動を容易に視認可能にすることができる。
【０００９】
（２）また、本発明の表示装置は、前記属性管理部が、前記表示画面を正面から見たときの前記表示画面の中央に対する各相対位置を示す属性情報を管理することを特徴としている。これにより、ユーザが表示画面に向かい合ったときに認識できる他の機器への方向性に実際の他の機器を対応させることができ、表示や操作を直観的に分かりやすくすることができる。
【００１０】
（３）また、本発明の表示装置は、ユーザから入力を受け付ける入力部を更に備え、前記装置管理部は、入力された情報に基づいて前記縁片の識別情報および前記属性情報の少なくとも一方と前記通信により連携可能な他の機器の識別情報とを関連付けて管理することを特徴としている。これにより、ユーザは個別に認識しやすいように表示画面の縁と他の機器とを対応させることができ、ユーザインタフェースを直観的に分かりやすく、使いやすくすることができる。
【００１１】
（４）また、本発明の表示装置は、前記通信により連携可能な他の機器から情報を取得する情報取得部を更に備え、前記装置管理部は、前記取得された情報に基づいて前記縁片の識別情報および前記属性情報の少なくとも一方と前記通信により連携可能な他の機器の識別情報とを関連付けて管理することを特徴としている。これにより、ユーザが他の機器と表示画面の縁の一部との対応を登録する必要がなくなり、自動で他の機器と表示画面の縁との関連付けを行うことができる。
【００１２】
（５）また、本発明の表示装置は、前記通信により連携可能な他の機器から取得した自機の属性情報に基づいて、前記情報取得元の機器の属性情報を算出し、設定する情報設定部を更に備えることを特徴としている。これにより、他の機器から情報を取得して自動的に属性情報を設定することができる。
【００１３】
（６）また、本発明の表示装置は、前記情報設定部が、前記取得した自機の属性情報が特定する位置について点対称な位置を特定するように前記情報取得元の機器の属性情報を算出し、設定することを特徴としている。これにより、ユーザから表示画面を見たときに直観的に他の機器を把握できる方向を属性情報として設定できる。
【００１４】
（７）また、本発明の表示装置は、前記通信により連携可能な他の機器との相対位置を認識する位置認識部とを更に備え、前記属性管理部は、前記認識された相対位置に基づき前記縁片に対応させて属性情報を管理することを特徴としている。
【００１５】
これにより、自動的に他の機器と表示装置との位置関係を認識し、他の機器を表示装置の縁に割り当てて管理することができる。その結果、ユーザの入力の負担等が軽減され、他の機器の現在位置を表示に反映させることができる。自動的な位置認識については、たとえば、ＧＰＳや無線アクセスポイントの三角測量などから自機および他の機器双方の位置を測定し、かつ方位検知によって自機の画面の向きを検知することで、自機の画面を基準に他の機器がどの方位にあるか自動で検出することができる。
【００１６】
（８）また、本発明の表示装置は、前記属性管理部が、前記通信により連携可能な他の機器への物理的方向に応じた属性情報を管理することを特徴としている。たとえば、ディスプレイ正面、属性値「正面」が手元の携帯電話機の方向に適合すると考えることもできる。
【００１７】
（９）また、本発明の表示装置は、前記属性管理部が、ユーザから見た前記通信により連携可能な他の機器への視覚方向に応じた属性情報を管理することを特徴としている。たとえば、視覚的にディスプレイの下方、属性値「下中」が手元の携帯電話機の方向に適合すると考えることもできる。
【００１８】
（１０）また、本発明の表示装置は、前記属性管理部が、ユーザが想起する前記通信により連携可能な他の機器への概念的方向に応じた属性情報を管理することを特徴としている。たとえば、遠隔地にある機器と連携する場合、遠くに飛ばすイメージでディスプレイ１０１の上方、属性値「上中」が適合すると考えることもできる。
【００１９】
（１１）また、本発明の表示装置は、前記表示制御部が、前記通信可能な他の機器に関連付けられた縁片の近傍に、前記縁片に対応する他の機器の図形を表示させることを特徴としている。これにより、表示装置に対してどの方向に対象となる他の機器があるのか、もしくは複数の同種の製品のうちどの機器を表示しているのかが容易に判断できる。
【００２０】
（１２）また、本発明の表示装置は、前記表示制御部が、前記通信可能な他の機器のうち、制御または情報受信の対象となる機器との間で制御コマンドやデータを送受信する様子を前記縁片に対応する他の機器の図形を用いて動画で表示させることを特徴としている。たとえば、他の機器の方角に温度情報が飛んでいくようにアニメーション表示することができる。これにより、ユーザはコマンドが送信されたことを容易に認識することができる。
【００２１】
（１３）また、本発明の表示装置は、前記表示制御部が、前記通信可能な他の機器のうち、制御または情報受信の対象となる機器に関連付けられた縁片の近傍に、前記対象となる機器と自機との連携を表示させることを特徴としている。
【００２２】
これにより、他の機器の管理や制御の動作について、動画で分かりやすく各動作を表示できる。たとえば、電子レンジの方角に飛んでいくようにアニメーション表示することができる。これにより、ユーザはレシピコンテンツが電子レンジに転送されたことを容易に認識することができる。また、レシピコンテンツを表す絵柄がアニメーション表示によりスライドしてくる。その結果、電子レンジがレシピを受信したことが容易に視認でき、かつその方向からどの端末から送信されてきたのかを判別もしくは推定できる。
【００２３】
（１４）また、本発明の表示装置は、前記表示制御部が、前記通信可能な他の機器のうち、制御または情報受信の対象となる機器との間で制御コマンドやデータを送受信する様子を前記縁片に対応する動画で表示させることを特徴としている。これにより、ユーザは表示画面を一見して各他の機器と表示画面の縁との連携を把握することができる。
【００２４】
（１５）また、本発明の表示方法は、表示画面を有する通信可能な表示装置を用いた表示方法であって、表示画面の縁を複数に区分した縁片に対応させて属性情報を管理するステップと、前記縁片の識別情報および前記属性情報の少なくとも一方に対応させて、通信により連携可能な他の機器を管理するステップと、前記他の機器の管理または前記他の機器との連携を表示装置の表示画面に表示するステップとを含むことを特徴としている。このように、表示画面の縁片に対応させて他の機器を識別することで、他の機器の管理をユーザが把握しやすくすることができる。
【００２５】
（１６）また、本発明の表示プログラムは、表示画面を有する通信可能な表示装置に実行させるための表示プログラムであって、表示画面の縁を複数に区分した縁片に対応させて属性情報を管理する処理と、前記縁片の識別情報および前記属性情報の少なくとも一方に対応させて、通信により連携可能な他の機器を管理する処理と、前記他の機器の管理または前記他の機器との連携を表示装置の表示画面に表示する処理を含むことを特徴としている。このように、表示画面の縁片に対応させて他の機器を識別することで、他の機器の管理をユーザが把握しやすくすることができる。
【発明の効果】
【００２６】
本発明によれば、ユーザが連携する機器の物理的、視覚的、概念的な位置を容易に類推して、対象の連携機器を識別可能にし、機器間でのコンテンツやコマンドの移動を容易に視認可能にできる。
【図面の簡単な説明】
【００２７】
【図１】表示システムの一例を示す概略図である。
【図２】本発明の表示装置を示すブロック図である。
【図３】表示画面および縁の区分を示す図である。
【図４】縁と他の機器との対応を示すテーブルである。
【図５】表示装置を設置した室内の一例を示す斜視図である。
【図６】表示例を示す図である。
【図７】相対的な位置関係と方向性とを示す模式図である。
【図８】属性情報の設定時の動作を示すフローチャートである。
【図９】表示例を示す図である。
【図１０】表示例を示す図である。
【図１１】一連の表示例を示す図である。
【図１２】一連の表示例を示す図である。
【図１３】操作時の動作を示すフローチャートである。
【図１４】表示画面および縁の区分を示す図である。
【図１５】画面の表示例を示す図である。
【図１６】属性情報の設定時の動作を示すフローチャートである。
【発明を実施するための形態】
【００２８】
次に、本発明の実施の形態について、図面を参照しながら説明する。説明の理解を容易にするため、各図面において同一の構成要素に対しては同一の参照番号を付し、重複する説明は省略する。
【００２９】
（表示システムおよび表示装置の構成）
図１は、表示システム１００の一例を示す概略図である。表示システム１００は、表示装置１１０および他の機器１２０で構成されている。表示装置１１０は、この例ではテレビであり、表示画面１１８を有し、他の機器１２０と通信可能である。他の機器１２０は、テレビ１１０との間で通信により連携可能な他の機器であり、この例ではエアコンである。表示装置１１０は、他の機器としてエアコン１２０を表示画面１１８の縁片に対応させて管理し、表示画面１１８にエアコン１２０の管理や自機との連携を表示する。
【００３０】
図２は、表示装置１１０を示すブロック図である。表示装置１１０は、入力部１１１、情報取得部１１２、情報設定部１１３、位置認識部１１４、属性管理部１１５、装置管理部１１６、表示制御部１１７および表示画面１１８を備えている。入力部１１１は、ユーザから入力を受け付ける。入力部１１１は、たとえば、他の機器の属性情報の設定時や、他の機器の操作時に用いられる。
【００３１】
情報取得部１１２は、通信により連携可能な他の機器から情報を取得する。取得する情報は、たとえば属性情報や他の機器の状態を特定する情報である。情報設定部１１３は、取得した自機の属性情報に基づいて、情報取得元の機器の属性情報を算出し、設定する。たとえば、取得した自機の属性情報が特定する位置について、点対称な位置を特定するように情報取得元の機器の属性情報を設定できる。「左上」の位置情報に対して「右下」の情報を算出し、設定する場合が考えられる。
【００３２】
位置認識部１１４は、通信により連携可能な他の機器との相対位置を認識する。位置認識部１１４は、ＧＰＳや無線アクセスポイントの三角測量などから機器双方の位置を測定し、かつ方位検知によって画面の向きを検知できる。位置認識部１１４は、必ずしも表示装置１１０の構成として備わっていなくてもよい。
【００３３】
属性管理部１１５は、表示画面１１８の縁を複数に区分した縁片に対応させて属性情報を管理する。属性情報は、たとえは「左上」「右下」のような情報であり、表示画面１１８を正面から見たときの表示画面１１８の中央に対する各相対位置を示すものである。
【００３４】
表示画面１１８から縁片への方向と実際のテレビ１１０とエアコン１２０の相対位置とを対応させる際の実際の相対位置には、捉え方により異なった方法が採られうる。たとえば、物理的方向を実際の相対位置としてこれに応じた属性情報を管理してもよいし、他の機器への視覚方向を実際の相対位置としてこれに応じた属性情報を管理してもよい。また、概念的方向を実際の相対位置としてこれに応じた属性情報を管理してもよい。
【００３５】
装置管理部１１６は、縁片の識別情報および属性情報の少なくとも一方に対応させて、通信により連携可能な他の機器を識別する。このような情報の関連付けは、入力された情報に基づいて行ってもよいし、他の機器から取得された情報に基づいて行ってもよい。
【００３６】
表示制御部１１７は、他の機器の管理または他の機器との連携を表示装置の表示画面１１８に表示する。このように、表示画面の縁片に対応させて他の機器を識別することで、他の機器の管理をユーザが把握しやすくすることができる。アイコンのような機器に対応する図形を表示させるモードになっているときには、表示制御部１１７は、縁片の近傍に、縁片に対応する他の機器の図形を表示させる。なお、図形を表示させずに、直接に縁片を用いて管理や連携の情報を表示してもよい。また、表示制御部１１７は、制御または情報受信の対象となる機器との間で制御コマンドやデータを送受信する様子を表示画面１１８に動画で表示させることができる。表示画面１１８は、たとえばテレビの液晶ディスプレイや電子レンジの小画面等である。
【００３７】
（属性情報）
図３は、表示画面および縁の区分を示す図である。図３に示すように、ディスプレイ１１８はある表示装置の表示画面であり、画面正面に向かって、左右上下の各辺をそれぞれ３分割し、１２の位置属性値を定義する。すなわち、縁片ａ〜ｌに、「上左」、「上中」のような属性情報を設定する。これにより、ユーザは個別に認識しやすいように表示画面の縁と他の機器とを対応させることができ、ユーザインタフェースを直観的に分かりやすく、使いやすくすることができる。そして、ディスプレイ正面に何らかの情報を設定し、これを加えて合計１３の位置属性値を定義する。ただし辺の分割数、位置属性値のバリエーションはこれに限るものではない。
【００３８】
図４は、縁と他の機器との対応の一例を示すテーブルである。図４に示すように、属性管理部１１５は、属性情報を他の機器の識別情報に対応させて管理している。たとえば、縁片ａの属性情報は「上左」であり、縁片ｂの属性情報は「上中」である。そして、縁片ｄの属性情報は「右上」であり、図４に示す例では、他の機器としてエアコンＡが関連付けられている。これにより、ユーザが表示画面に向かい合ったときに認識できる他の機器への方向性に実際の他の機器を対応させることができ、表示や操作を直観的に分かりやすくすることができる。
【００３９】
図５は、表示装置を設置した室内の一例を示す斜視図である。テレビ１１０（表示装置）はディスプレイ１１８（表示画面）を有する。テレビ１１０の上方右側の壁にエアコン１２０が設置されている。エアコン１２０は、ディスプレイのような特別な表示部を持たない。またテレビ１１０の左側上方において電子レンジ１３０が台に載せられている。テレビ１１０は、インターネットへの接続が可能であり、電子レンジ１３０用のレシピコンテンツを取得し、保存することができる。電子レンジ１３０は、液晶モニタ１３１を有し、レシピコンテンツを設定、表示することができる。
【００４０】
また、テレビ１１０は赤外線通信によるコマンド送信機能を有し、エアコン１２０はそのコマンドを受信することができ、ユーザはテレビ１１０を操作することによってエアコン１２０を操作することができる。またテレビ１１０は家庭内無線ＬＡＮによって電子レンジ１３０と相互に通信でき、ユーザはテレビ１１０を操作することによって電子レンジ１３０にレシピコンテンツを設定することができる。ここでは、ディスプレイを有する端末としてテレビ１１０を、それと連携する端末としてエアコン１２０と電子レンジ１３０を例に挙げたがこれらに限るものではない。
【００４１】
たとえば、テレビ１１０でエアコン１２０を操作するために、あらかじめテレビ１１０にはエアコン１２０によって特定される赤外線通信などの通信フォーマットおよび定義された位置属性値として「上右」を登録する。図６は、表示例を示す図である。図６に示すようなＧＵＩによってユーザがエアコン１２０とテレビ１１０との位置関係から判断して、属性情報と他の機器との関連付けを設定することができる。
【００４２】
同様にテレビ１１０から電子レンジ１３０にレシピコンテンツを送信するために、テレビ１１０に、電子レンジ１３０のＩＰアドレスと定義された位置属性値のうちのひとつである「左上」を設定し、登録することができる。図６に示す登録は同様にＧＵＩで実現する。
【００４３】
図７は、相対的な位置関係と方向性とを示す模式図である。ここで、ユーザは空間的な位置関係から判断したが、これに限るものではない。たとえば、電子レンジ１３０のように据え置きの機器ではなく、手元で操作する携帯電話機１４０などとテレビ１１０を連携させる場合、視覚的にディスプレイ１１８の下方、属性値「下中」が手元の携帯電話機の方向に適合しやすい。もしくはディスプレイ正面、属性値「正面」が手元の携帯電話の方向に適合しやすい。したがって、そのような属性情報を設定することができる。また、遠隔地にある機器（クラウド１５０）と連携する場合、遠くに飛ばすイメージでディスプレイ１１８の上方、属性値「上中」が適合しうる。
【００４４】
（入力設定時の動作）
次に、ユーザ入力で属性情報を設定する場合の表示装置の動作を説明する。図８は、属性情報の設定時の動作を示すフローチャートである。図８に示すように、まず、機器の選択モードにおいて、ユーザによる設定対象とする機器の選択を受け付ける（ステップＳ１）。
【００４５】
次に、ユーザが機器を選択したら、属性選択のモードにおいて属性を選択する操作を受け付ける（ステップＳ２）。たとえば、図６に示すように方向選択を促すことができる。次に、対象となる機器と選択された属性情報との関連付けを記憶し、管理する（ステップＳ３）。そして、表示画面１１８の属性情報に応じた位置で機器の情報を表示し（ステップＳ４）、終了する。
【００４６】
（表示例）
これらの属性情報を用いて以下の表示例を説明する。たとえば、テレビ１１０のリモコンで周辺機器確認ボタンを操作したとする。その時、テレビの映像に対して、エアコン１２０を表すアイコン２２０と電子レンジ１３０を表すアイコン２３０が重畳されて表示される。この表示位置によって、テレビ１１０に対してどの方向に対象となる端末があるのか、もしくは複数の同種の製品のうちどの端末を表示しているのかが容易に判断できる。
【００４７】
図９は、表示例を示す図である。図９に示す例では、エアコン１２０のアイコン２２０には現在の２３℃の設定温度枠２２１が表示されている。温度に限らず、その他のエアコン１２０の設定を表示してもよい。設定値は、最後にテレビ１１０から設定したパラメータをテレビ１１０が保持していることで実現する。もしくはエアコン１２０からテレビ１１０への通信が可能であれば、ディスプレイ１１８には、現在の設定パラメータや室温を取得して表示してもよい。
【００４８】
図１０は、表示例を示す図である。図１０に示す例では、表示画面１１８は、表示装置１１０と電子レンジ１３０との連携を波紋３０１で示している。波紋３０１は、電子レンジ１３０の表示装置１１０に対する相対的な位置の方向に応じた縁片の位置に表示されている。
【００４９】
図１１は、一連の表示例を示す図である。図１１に示すように、テレビ１１０用のリモコン操作によって、ディスプレイ１１８にはエアコン１２０の温度設定をする際のＧＵＩが表示される。まず、温度設定モードを起動する。たとえば、場面（ａ）では、温度設定ボタン３０２が表示画面１１８上に表示され、リモコン操作によって温度設定ボタン３０２の押下が可能である。ただし温度設定モードの起動はこれに限らない。次に温度設定を行う。たとえば場面（ｂ−１）では、温度設定ボックス３０５をリモコンで操作し確定する。すると場面（ｃ−１）では、表示画面１１８上でエアコン１２０に対応付けられた方角に温度情報が飛んでいくようにアニメーション表示３０６がなされる。これによってユーザはコマンドが送信されたことを容易に認識することができる。
【００５０】
一方、たとえば場面（ｂ−２）では、表示画面１１８に温度設定ボックス３０５とともに操作対象のエアコン１２０を示すアイコン２２０をエアコン１２０と対応付けられた方角の縁辺近傍に表示する。そして設定温度を確定すると、場面（ｃ−２）では、そのアイコン２２０に向かって温度情報が飛んでいくようなアニメーション表示３０６ができる。
【００５１】
また、同様な例として、テレビ１１０を操作してインターネット経由で検索したレシピコンテンツを電子レンジ１３０に送信する際のＧＵＩ表示について説明する。図１２は、一連の表示例を示す図である。まず、テレビ１１０でレシピコンテンツの検索を行う。たとえば、場面（ａ）では、ブラウザによる検索が行われている。下方にリモコンのカラーキーに対応したボタンがあり、一番左のボタンが電子レンジへの転送ボタン４０１であるとする。転送したいコンテンツにフォーカスを合わせ、転送ボタン４０１を押すと場面（ｂ−１）に遷移する。場面（ｂ−１）では、対象となるレシピコンテンツ４０５が強調され、場面（ｃ−１）では、電子レンジ２０３の方角に飛んでいくようにアニメーション表示４０６がなされる。これによってユーザはレシピコンテンツが電子レンジ１３０に転送されたことを容易に認識することができる。
【００５２】
一方、たとえば場面（ｂ−２）では、表示画面１１８は、電子レンジ１３０を表すアイコン２３０を電子レンジ１３０と対応付けられた位置に表示し、場面（ｃ−２）のようにそのアイコンに向かってコンテンツが飛んでいくようにアニメーション表示４０６をすることができる。
【００５３】
なお、たとえばテレビ１１０と携帯電話機１４０との連携では、テレビ１１０の表示画面の下方に携帯電話機１４０を設定し、携帯電話機１４０の表示画面の上方にテレビ１１０を設定することができる。この組み合わせの他に、テレビ１１０の表示画面の中央に携帯電話機１４０を設定し、携帯電話機１４０の表示画面の上方テレビ１１０を設定する組み合わせも考えられる。このような場合には、テレビ１１０と携帯電話機１４０との間でデータ交換があったときには、携帯電話機１４０を示す図形を、テレビ１１０の表示画面の中央に表示し、奥行き感のあるアニメーション表示をすることができる。
【００５４】
（操作時の動作）
図１３は、操作時の動作を示すフローチャートである。図１３に示すように、まず表示装置１１０は、他の機器から情報を取得する（ステップＴ１）。そして、その他の機器およびこれに関連付けられた縁辺の識別情報を特定する（ステップＴ２）。
【００５５】
次に、現在、図形表示モードであるか否かを判定する（ステップＴ３）。図形表示モードでない場合には、ステップＴ５へ移行する。図形表示モードである場合には、情報を取得した機器に関連付けられた縁辺近傍に図形を表示する（ステップＴ４）。
【００５６】
そして、ユーザからの操作を受け付ける（ステップＴ５）。操作を受け付けたら、その操作情報を操作対象となる機器に送信する（ステップＴ６）。このように操作情報を送信しつつ、表示画面１１８には、操作に応じたアニメーションを表示し（ステップＴ７）、動作を終了する。
【００５７】
（表示画面の小さい場合）
また、以上の例では、表示装置の具体的構成をテレビとして説明しているが、表示装置は電子レンジのような画面の小さい機器であってもよい。テレビ１１０からレシピコンテンツが転送されてきた場合には、電子レンジ１３０の液晶モニタ１３１でもそれを視認できることが望ましい。図１４は、表示画面および縁の区分を示す図である。図１４に示すように、電子レンジ１３０付属のモニタに各辺を縁片ａ〜ｄとして属性値を設定する。液晶モニタ１３１は小さいので各辺は分割せず４つの属性値を対応させる。図５に示す各機器の配置であれば、テレビ１１０を識別する情報とその位置属性値「右」を電子レンジ１３０に登録する。
【００５８】
図１５は、画面の表示例を示す図である。図１５に示すように、テレビ１１０から電子レンジ１３０に転送が実行されると、電子レンジ１３０に付随の液晶モニタ１３１には、テレビ１１０に関連付けられた右側の縁からレシピコンテンツを表す絵柄５０６がスライドするようアニメーション表示される。これにより、ユーザは、電子レンジ１３０がレシピを受信したことを容易に視認でき、かつその方向からどの端末から送信されてきたのかを判別もしくは推定することができる。
【００５９】
機器の双方に位置属性値を設定する場合において、一方の設定で他方の設定を自動的に完了することも可能である。たとえば、一方が送信した位置属性値に対して、これを受信した他方側において画面の中心を軸に１８０度回転した位置を送信側の位置属性値として設定する方法がある。「左上」の受信に対して「右下」の設定、「上左」の受信に対して「下右」の設定などである。一方の辺の分割数が一方より少なかった場合でも、少ない分割数に丸めこんで対応する属性値を選択すればよい。
【００６０】
たとえばテレビ１１０と電子レンジ１３０のペアリング設定を行う際に、ユーザの入力手続きによってテレビ１１０に、電子レンジ１３０の識別情報と位置属性値「左上」を設定したとする。その場合、テレビ１１０からのトリガを受け、電子レンジ１３０はテレビ１１０の識別情報を自動で取得し、テレビ１１０による電子レンジ１３０の位置属性値「左上」に相対する電子レンジ１３０によるテレビ１１０の位置属性値「右」を自動で導出し、合わせて登録する。
【００６１】
ただし、相対する位置属性値の導出バリエーションはこれに限ったものではない。たとえば、山なりに情報を投げたように一方の「上左」から投げ出され他方の「上右」で受け取るような関連を導出してもよい。この場合、“上”は固定で左右反転した値を導出すればよい。
【００６２】
（自動設定時の動作）
図１６は、属性情報の自動設定時の動作を示すフローチャートである。図１６に示すように、まず表示装置１１０は、他の機器から属性情報を取得する（ステップＰ１）。そして、取得した属性情報により特定される位置情報に対して点対称となる位置情報を算出する（ステップＰ２）。
【００６３】
次に、画面制約を考慮した制限により、その算出された位置情報の設定が可能か否かを判定する（ステップＰ３）。位置情報の設定が可能でない場合には、代替の位置を設定し（ステップＰ４）、ステップＰ６へ移行する。たとえば、「上左」に対応する位置情報を設定できない場合には、「右」を設定することができる。
【００６４】
一方、位置情報の設定が可能な場合には、算出された位置情報をそのまま設定する（ステップＰ５）。そして、設定された属性情報を管理し、その属性情報に基づいて他の機器と連携する。これにより、ユーザから表示画面を見たときに直観的に他の機器を把握できる方向を、自動的に属性情報として設定できる。
【００６５】
また、２つの機器の位置関係を取得する手段を備えていれば、それを活用してもよい。たとえば画面をもつ表示装置Ａと連携対象となる機器Ｂがあった場合、ＧＰＳや無線アクセスポイントの三角測量などから表示装置Ａ、機器Ｂ双方の位置を測定し、かつ方位検知によって表示装置Ａの画面の向きを検知することで、表示装置Ａの画面を基準に機器Ｂがどの方位にあるか自動で検出することができる。このように、自動的に他の機器と表示装置との位置関係を認識し、他の機器を表示装置の縁に割り当てて管理することができる。
【００６６】
なお、以上の表示装置の動作は、プログラムの実行により行うことができる。また、以上の例では、表示装置と他の機器とはＬＡＮのようなネットワークにより通信可能に構成されているが、ネットワークでなく、直接の近距離通信であってもよい。
【符号の説明】
【００６７】
１００  表示システム
１１０  表示装置（テレビ）
１１１  入力部
１１２  情報取得部
１１３  情報設定部
１１４  位置認識部
１１５  属性管理部
１１６  装置管理部
１１７  表示制御部
１１８  表示画面（ディスプレイ）
１２０  他の機器（エアコン）
１３０  電子レンジ
１３１  液晶モニタ
１４０  携帯電話機
１５０  クラウド
２２０  エアコンのアイコン
２３０  電子レンジのアイコン
３０１  波紋
３０２  温度設定ボタン
３０５  温度設定ボックス
３０６  アニメーション表示
４０１  転送ボタン
４０５  レシピコンテンツ
４０６  アニメーション表示
５０６  絵柄
ａ〜ｌ  縁片
【図１】
2011128532.tif 000003
【図２】
2011128532.tif 000004
【図３】
2011128532.tif 000005
【図４】
2011128532.tif 000006
【図５】
2011128532.tif 000007
【図６】
2011128532.tif 000008
【図７】
2011128532.tif 000009
【図８】
2011128532.tif 000010
【図９】
2011128532.tif 000011
【図１０】
2011128532.tif 000012
【図１１】
2011128532.tif 000013
【図１２】
2011128532.tif 000014
【図１３】
2011128532.tif 000015
【図１４】
2011128532.tif 000016
【図１５】
2011128532.tif 000017
【図１６】
2011128532.tif 000018